(57)【要約】【課題】  加工が簡単にでき、底部が大きな物品でも水平姿勢に安定して収納することが可能なポリ袋を提供する。【解決手段】  一端縁が熱融着により封止されて封止部２が形成されるとともに他端が開口されて開口部３が形成され、幅方向の両側部が内側にＶ字状に折り込まれて折り込み部５，５’が形成されたポリ袋１において、折り込み部５，５’において四重に重なっている４枚の薄膜のうち、外側から２枚の薄膜の少なくとも一部を接合して接合部６，６’を形成することにより、底部が大きな物品をポリ袋１に入れた場合に広がる袋底を略四角形の平面とみなしたとき、接合部６，６’が形成されている側の袋角に対して、接合部６，６’が形成されていない側の袋角よりも強い力がかかるようにし、ポリ袋１に入れられた物品が傾斜しかかっても、その強い力に押し戻されて元の水平姿勢に復元されるようにする。【選択図】        図１
2007055617.tif 000002
【特許請求の範囲】
【請求項１】
一端縁が封止されて封止部が形成されるとともに他端が開口されて開口部が形成され、上記開口部の幅方向の両端に一対の手提げ部が形成され、幅方向の両側部が内側にＶ字状に折り込まれて折り込み部が形成された袋体において、
上記折り込み部において四重に重なっている４枚の薄膜のうち、外側から２枚の薄膜の少なくとも一部を接合して接合部を形成したことを特徴とする袋体。
【請求項２】
上記幅方向の一側部が内側にＶ字状に折り込まれて形成された第１の折り込み部では一方の外側から２枚の薄膜に上記接合部が形成され、上記幅方向の他側部が内側にＶ字状に折り込まれて形成された第２の折り込み部では他方の外側から２枚の薄膜に上記接合部が形成されていることを特徴とする請求項１に記載の袋体。
【発明の詳細な説明】
【技術分野】
【０００１】
本発明は袋体に関し、特に、スーパーマーケットやコンビニエンスストア等において用いられる商品を入れる薄膜袋に用いて好適なものである。
【背景技術】
【０００２】
従来、スーパーマーケットやコンビニエンスストア等において、顧客が購買した商品を入れるための袋として、薄膜のいわゆるポリ袋が提供されている。図７は従来のポリ袋１００の平面図であり、図８はポリ袋１００を少しだけ広げた状態のＸ−Ｘ’断面図である。
【０００３】
図７および図８に示すように、従来のポリ袋１００は、例えば底側の端縁が熱融着により封止されて封止部２が形成されるとともに、上部が開口されて開口部３が形成されている。開口部３の幅方向の両端には、手提げ用に一対の突き出した手提げ部４，４’が形成されている。また、ポリ袋１００の両側部が内部にＶ字状に折り込まれて折り込み部５，５’が形成されている。
【０００４】
図９は、ポリ袋１００を広げた状態の斜視図である。ポリ袋１００を折り畳んだ状態では、折り込み部５，５’の部分は薄膜が４枚重なった状態となっている。これに対して、図９に示すように、ポリ袋１００は折り込み部５，５’の幅の分だけ広げることが可能である。
【０００５】
このようなポリ袋１００の使用に際しては、商品等の物品をポリ袋１００の中に入れて、手提げ部４，４’を持って持ち運びを行う。ところが、物品として底部の大きなものを収納すると、物品の収まりが不安定になり、袋内でひっくり返ったり、内容物がこぼれたりするなどの問題があった。このような問題を解決する手段として、少なくとも四方から折り込みを入れた部分を形成することにより、袋底部面が円形または多角形の略平面底を有するように広がるポリ袋が提案されている（例えば、特許文献１参照）。
【特許文献１】特開２００４−３５９２４７号公報
【発明の開示】
【発明が解決しようとする課題】
【０００６】
しかしながら、上記特許文献１に記載のポリ袋では、折り込み部の構造が複雑であり、加工が簡単にできないという問題があった。本発明は、このような問題を解決するために成されたものであり、加工が簡単にでき、底部が大きな物品でも水平姿勢に安定して収納することができるようにすることを目的とする。
【課題を解決するための手段】
【０００７】
上記した課題を解決するために、本発明の袋体では、一端縁が封止されて封止部が形成されるとともに他端が開口されて開口部が形成され、開口部の幅方向の両端に一対の手提げ部が形成され、幅方向の両側部が内側にＶ字状に折り込まれて折り込み部が形成された袋体において、折り込み部において四重に重なっている４枚の薄膜のうち、外側から２枚の薄膜の少なくとも一部を接合して接合部を形成している。
【０００８】
ここで、幅方向の一側部が内側にＶ字状に折り込まれて形成された第１の折り込み部では一方の外側から２枚の薄膜に接合部を形成し、幅方向の他側部が内側にＶ字状に折り込まれて形成された第２の折り込み部では他方の外側から２枚の薄膜に接合部を形成するのが好ましい。
【発明の効果】
【０００９】
上記のように構成した本発明によれば、底部が大きな物品を袋体に入れた場合に広がる袋底を略四角形の平面とみなしたとき、ある対角位置関係にある一対の袋角（接合部が形成されている部分）と、残された対角位置関係にあるもう一対の袋角（接合部が形成されていない部分）とで、内側方向への力のかかり方が異なってくる。すなわち、接合部が形成されている側の袋角には、接合部が形成されていない側の袋角よりも強い力がかかる。これにより、袋体に入れられた物品が傾斜しかかると、その強い力に押し戻されて元の水平姿勢に復元する。広げられた袋体の対角位置に接合部が形成されていると、物品がどの方向に倒れかかっても、必ず復元力を得て水平姿勢が保たれるようになる。したがって、底部が大きな物品でも水平姿勢に安定して収納することができる。また、本発明の袋体は、折り込み部の少なくとも一部を接合するだけで構成することができるので、折り込み部の構造が簡単で、加工も簡単にできる。
【発明を実施するための最良の形態】
【００１０】
以下、本発明の一実施形態を図面に基づいて説明する。図１は、本発明の袋体を実施したポリ袋１の平面図である。図２は、本実施形態のポリ袋１を少しだけ広げた状態のＸ−Ｘ’断面図である。図３は、本実施形態のポリ袋１を広げた状態の斜視図である。
【００１１】
本実施形態のポリ袋１は、ポリエチレン、ポリプロピレン、ポリ塩化ビニルまたはポリ塩化ビニルデンなどを材料とした薄膜の袋体であって、可撓性を有している。可撓性とは、外部から適用される力に応じて柔軟で撓み得るように、繰り返して収縮もしくは曲げられ得ることを言う。
【００１２】
図１および図２に示すように、本実施形態のポリ袋１は、底側の端縁が熱融着により封止されて封止部２が形成されるとともに、他端が開口されて開口部３が形成されている。開口部３の幅方向の両端には、手提げ用に一対の突き出した手提げ部４，４’が形成されている。また、ポリ袋１の両側部が内側にＶ字状に折り込まれて折り込み部５，５’が形成されている。
【００１３】
ポリ袋１の両側部に形成された折り込み部５，５’はそれぞれ、ポリ袋１を広げていない状態で薄膜が４枚重なっている。本実施形態では、折り込み部５，５’において四重に重なっている４枚の薄膜のうち、外側から２枚の薄膜の少なくとも一部を熱融着などにより接合して接合部６，６’を形成している。この接合部６，６’は、開口部３よりも封止部２に近い位置（開口部３と封止部２との中点よりも封止部２に近い側）において、封止部２と略平行に直線状に形成されている。
【００１４】
ここで、接合部６，６’は、ポリ袋１の一側部が内側にＶ字状に折り込まれて形成された第１の折り込み部５にて重なっている４枚の薄膜と、ポリ袋１の他側部が内側にＶ字状に折り込まれて形成された第２の折り込み部５’にて重なっている４枚の薄膜のうち、対角位置関係にある薄膜を接合して形成するのが好ましい。すなわち、第１の折り込み部５では、図１における図面手前の方から２枚の薄膜を接合して接合部６を形成する。一方、第２の折り込み部５’では、図１における図面奥側の方から２枚の薄膜を接合して接合部６’を形成する。
【００１５】
このように、第１の折り込み部５と第２の折り込み部５’とで対角位置関係にある薄膜を接合して接合部６，６’を形成することにより、底部が大きな物品をポリ袋１に入れた場合に広がる袋底を略四角形の平面とみなしたとき、ある対角位置関係にある一対の袋角（接合部６，６’が形成されている部分）と、残された対角位置関係にあるもう一対の袋角（接合部６，６’が形成されていない部分）とで、内側方向への力のかかり方が異なってくる。すなわち、接合部６，６’が形成されている側の袋角は、封止部２の近傍の薄膜が２枚接合されていて自由には広がらないので、接合部６，６’が形成されていなくて薄膜が自由に広がる袋角よりも強い力がかかる。
【００１６】
図４は、ポリ袋１を広げて開口部３の上から内部を覗き込んだ場合に見える底面の模式図である。ポリ袋１を広げると、その内部底面には、図４のように折り込み部５，５’の端点Ａ，Ａ’を頂点とする三角形ＡＢＣ，Ａ’Ｂ’Ｃ’の２つの平面が形成される。このようなポリ袋１の使用に際しては、商品等の物品をポリ袋１の中に入れて、手提げ部４，４’を持って持ち運びを行う。その際、弁当箱のように底部が大きな角柱状物の商品をポリ袋１に入れる場合、内部底面に形成される２つの三角形の平面上に弁当箱が乗せられることになる。これは、図７〜図９に示した従来のポリ袋１００の場合も同様である。
【００１７】
ところが、従来のポリ袋１００では、内部に入れられた物品によって底部に完全に均しく力がかかっていない状態だと、三角形状の平面をうまく形成することができない。すなわち、従来のポリ袋１００は、その材質が可撓性の薄膜で、折り込み部５，５’の薄膜が幅方向に自由に広がるため、内部に入れた物品のバランスが水平姿勢から少しでも崩れると、三角形上の平面はいとも簡単に形を崩してしまう。
【００１８】
例えば、ポリ袋１００に入れた弁当箱のような物品が辺ＢＢ’の方向に傾斜し始めると、弁当箱を下から支える三角形状の平面が自由に変形するので、辺ＡＢも辺Ａ’Ｂ’も同時に何の抵抗もなく辺ＣＣ’の方向にゆがんでいく。そのため、ポリ袋１内における物品の収まりが不安定になり、袋内でひっくり返ったり、内容物がこぼれたりしてしまう。
【００１９】
見方を変えると、従来のポリ袋１００の場合は、辺ＡＢにかかる力と辺ＡＣにかかる力が同じなので、辺ＢＣ上における仮想的なバランス点αは、辺ＢＣのちょうど中央となる。また、辺Ａ’Ｂ’にかかる力と辺Ａ’Ｃ’にかかる力が同じなので、辺Ｂ’Ｃ’上における仮想的なバランス点βは、辺Ｂ’Ｃ’のちょうど中央となる。この仮想的なバランス点α，βを結ぶ直線（バランスライン４１）は、封止部２が形成されている直線と重なり、一直線状である。従来のポリ袋１００では、この一直線の上で弁当箱が綱渡りのようにバランスをとっているようなものなので、弁当箱が辺ＢＢ’や辺ＣＣ’のどちらかの方向に傾斜し始めると、いとも簡単にバランスを失って弁当箱がひっくり返ってしまうのである。
【００２０】
これに対して、本実施形態のポリ袋１では、辺ＡＣの部分と辺Ａ’Ｂ’の部分には接合部６，６’が形成されていて、ここには比較的強いテンションがかかっているため、三角形状の平面のゆがみを抑制することができる。例えば、弁当箱が辺ＢＢ’の方向に傾斜しかかって辺ＡＢがゆがんでいっても、辺Ａ’Ｂ’が同じようにゆがんでいくことはない。逆に反発する力を生じる。弁当箱が辺ＣＣ’の方向に傾斜し始めた場合も同様である。すなわち、弁当箱の傾斜によって辺Ａ’Ｃ’がゆがんでいっても、辺ＡＣが同じようにゆがんでいくことはない。
【００２１】
このように、本実施形態によるポリ袋１の場合は、辺ＡＢにかかる力と辺ＡＣにかかる力とが同じではないので、辺ＢＣ上における仮想的なバランス点α’は、辺ＢＣのちょうど中央からずれた位置にくる。また、辺Ａ’Ｂ’にかかる力と辺Ａ’Ｃ’にかかる力とが同じではないので、辺Ｂ’Ｃ’上における仮想的なバランス点β’は、辺Ｂ’Ｃ’のちょうど中央からずれた位置にくる。これにより、バランスライン４２は直線α’Ａと直線ＡＡ’と直線Ａ’β’とを結んだラインとなり、一直線状にはならない。この結果、一直線のバランスライン４１により綱渡り状態で弁当箱を支えるのではなく、４つの点α’Ａβ’Ａ’で囲まれる面上で弁当箱のバランスをとることが可能となるので、安定度が増す。
【００２２】
以上詳しく説明したように、従来のポリ袋１００では、封止部２の直線上にあるバランスライン４１を回転軸とするような傾斜を弁当箱が起こし始めると、弁当箱は元の水平姿勢に復元しなかったのに対し、本実施形態によれば、元の水平姿勢に戻るような力を得て水平姿勢を安定的に保つことができる。例えば、辺ＡＢには変形の自由度があるから辺ＢＢ’側に弁当箱が傾斜し始めても、辺Ａ’Ｂ’からの押し返しにより、弁当箱の傾斜方向とは逆の方向に力がかかり、弁当箱は元の水平状態に復元する。逆に、辺ＣＣ’側に弁当箱が傾斜し始めても、辺ＡＣからの押し返しにより、弁当箱の傾斜方向とは逆の方向に力がかかり、弁当箱は元の水平状態に復元する。また、折り込み部５，５’の少なくとも一部を接合するだけで本実施形態のポリ袋１を構成することができるので、折り込み部５，５’の構造が簡単で、加工も簡単にできる。
【００２３】
なお、接合部６，６’を設ける位置は、開口部３よりも封止部２に近い位置であることが好ましい。接合部６，６’をあまり上方に設け過ぎると、折り込み部５，５’を広げることが可能な幅が狭くなり、ポリ袋１の容量が小さくなってしまうからである。一方、接合部６，６’の位置が封止部２に無闇に近い場所でも良くない。接合部６，６’をあまり封止部２の近くに設け過ぎると、上述した４つの点α’Ａβ’Ａ’で囲まれるバランス面の面積が小さくなり、安定度が低下してしまうからである。
【００２４】
上記実施形態では、接合部６，６’を封止部２と略平行に直線状に形成する例について説明したが、本発明はこれに限定されない。例えば、図５に示すように、封止部２に対して所定の角度を持つように接合部６，６’を斜めに形成するようにしても良い。その際、接合部６，６’の一端が封止部２の極近傍に位置するようにするのが好ましい。接合部６，６’をこのように形成することにより、折り込み部５，５’の広げられる幅をそれほど狭くせず、かつ、バランス面の面積も比較的広くとって物品の安定度を高めることができる。
【００２５】
また、接合部６，６’は、直線状でなくても良い。例えば、接合部６，６’を曲線上に形成したり、三角波状に形成したりしても良い。また、例えば図６に示すように、接合部６，６’を一定の面積を持たせた面状に形成しても良い。また、接合部６，６’は、折り込み部５，５’の幅方向の端から端までに形成する必要は必ずしもなく、折り込み部５，５’の幅方向の一部にのみ形成するようにしても良い。
【００２６】
また、接合部６，６’は、その両方を同じ形態にて形成する必要は必ずしもない。例えば、一方の接合部６を図１のように形成し、他方の接合部６’を図５あるいは図６のように形成するようにしても良い。また、接合部６，６’を両方とも図１のように封止部２と略平行に形成するものの、封止部２からの距離を一方の接合部６と他方の接合部６’とで異ならせたり、大きさを接合部６と他方の接合部６’とで異ならせたりするようにしても良い。
【００２７】
また、上記実施形態では、ある対角位置関係にある一対の袋角に一対の接合部を形成する例について説明したが、本発明はこれに限定されない。例えば、接合部を設ける位置は対角位置関係になくても良い。ただし、対角位置関係にあった方が好ましい。また、接合部は２箇所でなくても良い。例えば、１箇所、３箇所または４箇所であっても良い。３箇所や４箇所の場合は、２箇所の場合と同様に、接合部の形状や位置、大きさなどを全て同じとしても良いし、異ならせても良い。例えば４箇所に接合部を設ける場合において、対角位置関係にある一組の接合部をある程度高い位置（封止部２からある程度離れた位置）に大きく形成し、残りの対角位置関係にある一組の接合部をある程度低い位置に小さく形成するようにしても良い。また、４箇所の接合部を全て異なる位置に形成するようにしても良い。
【００２８】
その他、上記実施形態において示した各部の形状および構造は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【産業上の利用可能性】
【００２９】
本発明は、スーパーマーケットやコンビニエンスストア等において用いられる商品を入れる薄膜袋に有用である。
【図面の簡単な説明】
【００３０】
【図１】本発明の袋体を実施したポリ袋の平面図である。
【図２】本実施形態のポリ袋を少しだけ広げた状態のＸ−Ｘ’断面図である。
【図３】本実施形態のポリ袋を広げた状態の斜視図である。
【図４】本実施形態または従来のポリ袋を広げて開口部の上から内部を覗き込んだ場合に見える底面の模式図である。
【図５】本実施形態によるポリ袋の変形例を示す平面図である。
【図６】本実施形態によるポリ袋の変形例を示す平面図である。
【図７】従来のポリ袋の平面図である。
【図８】従来のポリ袋を少しだけ広げた状態のＸ−Ｘ’断面図である。
【図９】従来のポリ袋を広げた状態の斜視図である。
【符号の説明】
【００３１】
１  ポリ袋
２  封止部
３  開口部
４，４’  手提げ部
５，５’  折り込み部
６，６’  接合部
【図１】
2007055617.tif 000003
【図２】
2007055617.tif 000004
【図３】
2007055617.tif 000005
【図４】
2007055617.tif 000006
【図５】
2007055617.tif 000007
【図６】
2007055617.tif 000008
【図７】
2007055617.tif 000009
【図８】
2007055617.tif 000010
【図９】
2007055617.tif 000011